(57)【特許請求の範囲】
【請求項１】
ケース構成体の一部が開閉可能とされ、閉止時にマスク収容空間にマスクを収容するようにしたものにおいて、
前記ケース構成体に、ケース本体の底部に倒れ込む倒伏位置とケース本体の底部から立ち上がる起立位置との間で折り畳み展開可能な可動壁を設け、前記ケース構成体を開くことで前記可動壁が前記起立位置へ展開するように構成するとともに、前記可動壁にマスクの耳掛け紐を係り合わせ得るようにしており、起立位置から倒伏位置に向かう前記可動壁でマスクの耳掛け紐の動きを規制しつつ当該耳掛け紐を、マスク収容空間に収まる方向に案内し得るようにしたことを特徴とするマスク保管用ケース。
【請求項２】
倒伏位置から起立位置に向けて可動壁が展開されるに伴い、マスクの耳掛け紐に対する規制を解除若しくは緩和し得るように構成している請求項１記載のマスク保管用ケース。
【請求項３】
可動壁の一部をケース構成体のうち相対動作を行う部位に接続して、ケース構成体の閉止動作と開放動作に可動壁の折り畳み動作と展開動作を連動させている請求項１又は２記載のマスク保管用ケース。
【請求項４】
可動壁は、ケース構成体の開閉動作とは独立して折り畳み展開可能に構成されている請求項１又は２記載のマスク保管用ケース。
【請求項５】
ケース構成体の閉止動作に伴ってマスクが折り畳まれ、開放動作に伴ってマスクへの折り畳み力が解除ないし緩和されるように構成している請求項１〜４記載のマスク保管用ケース。
【請求項６】
一対の可動壁を、互いに相寄る方向へ倒伏するように離間位置に設けて、両可動壁で左右の耳掛け紐をそれぞれマスク収容空間に収まる方向に案内するようにしている請求項１〜５記載のマスク保管用ケース。
【請求項７】
可動壁と、少なくともマスクの一部を収容するポケット部とを、可動壁の倒伏方向とポケット部の開口方向とが向き合う位置関係下に配置している請求項１〜５記載のマスク保管用ケース。
【請求項８】
可動壁に、耳掛け紐の折り返し部付近を係り合わせて当該可動壁の動きに耳掛け紐を従動させるための引っ掛け部を設けている請求項１〜７記載のマスク保管用ケース。
【請求項９】
引っ掛け部の一部に、耳掛け紐と可動壁との相対的な位置ずれに起因して当該耳掛け紐が引っ掛け部から離脱することを防止する外れ止め部を設けている請求項８記載のマスク保管用ケース。
【請求項１０】
可動壁は、耳掛け紐のほぼ全域を倒伏方向へ押し付ける押し付け面を有したものである請求項１〜７記載のマスク保管用ケース。
【発明の詳細な説明】
【技術分野】
【０００１】
本発明は、マスクをより衛生的な状態で保管し得るようにしたマスク保管用ケースに関するものである。
【背景技術】
【０００２】
近年、感染性の強いインフルエンザの流行等により、マスクの需要が高まっており、不測の事態に備えて平素より備蓄しておく人も急増している。
【０００３】
このようなマスクは、通勤時の人混みのように装着が欠かせない場面以外に、会議や飲食時のように一時的に外さなければならない場面等もあるなど、常時装着しているわけではない。
【０００４】
このような不使用時に、無造作にマスクをポケット等にしまい込むと不衛生であるほか二次感染の恐れがあり、都度マスクを使い捨てるのでは無駄が多く、エコロジーにも反する。
【０００５】
これらの不具合を解消する上で参考になるものとして、マスクを一時的に保管するための保管用ケースが考えられている（例えば特許文献１、２等参照）。これらの文献では、マスクを構成する耳掛け紐を口当て部分であるマスク本体ともどもケース内に開閉可能に収容するようにした蓋構造にしたり、不要時にマスクを清潔な状態で保管できるようにケースの内部に薬剤等を収容したもの等が提案されている。
【先行技術文献】
【特許文献】
【０００６】
【特許文献１】実開平０６−４８６９８号公報
【特許文献２】実用新案登録第３１５８１５９号公報
【発明の概要】
【発明が解決しようとする課題】
【０００７】
しかしながら、かかる文献のものは、開閉蓋構造をなすケースの蓋を開けた状態で単にマスク本体と耳掛け紐をケース内に折り畳み、蓋を閉めるだけである。このため、一旦収めた耳掛け紐が蓋を閉めるまでの間に再び飛び出して閉めにくく、耳掛け紐が飛び出したまま中途半端に蓋が閉まった状態になり易い。これに対し、耳掛け紐が飛び出さないように手でマスクを押し込む等の補助をしながら蓋を閉める操作を行うと、手間どるだけでなく、その間にマスク本体に手が触れることで手に付着したウィルスがマスクに付着する可能性があり、二次感染の原因ともなり得る。
【０００８】
再度マスクを取り出して使用する際にも、耳掛け紐がマスク本体ともどもケース内に無造作に押し込まれていると、耳掛け紐を摘むまでの間に手がマスク本体に触れてやはり二次感染につながる恐れがあるし、ウィルスが付着していなくともマスク本体に手が触れることはそもそも不衛生である。
【０００９】
したがって、マスク本体に極力手を触れずに耳掛け紐ともどもマスクを挿脱できるマスク保管用ケースがあれば便利である。
【００１０】
本発明は、このようなマスク保管用ケースを新たに提供することを目的としている。
【課題を解決するための手段】
【００１１】
本発明は、かかる目的を達成するために、次のような手段を講じたものである。
【００１２】
すなわち、本発明のマスク保管用ケースは、ケース構成体の一部が開閉可能とされ、閉止時にマスク収容空間にマスクを収容するようにしたものにおいて、前記ケース構成体に、ケース本体の底部に倒れ込む倒伏位置とケース本体の底部から立ち上がる起立位置との間で折り畳み展開可能な可動壁を設け、前記ケース構成体を開くことで前記可動壁が前記起立位置へ展開するように構成するとともに、前記可動壁にマスクの耳掛け紐を係り合わせ得るようにしており、起立位置から倒伏位置に向かう前記可動壁でマスクの耳掛け紐の動きを規制しつつ当該耳掛け紐を、マスク収容空間に収まる方向に案内し得るようにしたことを特徴とする。
【００１３】
このように構成すると、ケース構成体を閉止する際に耳掛け紐が飛び出して閉めにくくなったり耳掛け紐が飛び出したまま中途半端にケース構成体が閉まった状態となることを可動壁によって効果的に防止することができ、マスク本体に手が触れるおそれも有効に低減することが可能となる。さらに、ケース構成体を開くことで可動壁が起立位置へ展開してマスクの耳掛け紐をケース本体の底部より上方に持ち出すため、可動壁より耳掛け紐を外して引っ張ることでマスクを使用可能な状態にすることができる。
【００１４】
マスクを取り出す際にも同様の効果を得るためには、倒伏位置から起立位置に向けて可動壁が展開されるに伴い、マスクの耳掛け紐に対する規制を解除若しくは緩和し得るように構成しておくことが望ましい。
【００１５】
操作性の向上を図るためには、可動壁の一部をケース構成体のうち相対動作を行う部位に接続して、ケース構成体の閉止動作と開放動作に可動壁の折り畳み動作と展開動作を連動させることが好ましい。
【００１６】
構造の簡素化や設計自由度を優先する場合には、可動壁を、ケース構成体の開閉動作とは独立して折り畳み展開可能に構成しておくことが好適である。
【００１７】
ケースの小型化を同時に実現するためには、ケース構成体の閉止動作に伴ってマスクが折り畳まれ、開放動作に伴ってマスクへの折り畳み力が解除ないし緩和されるように構成していることが望ましい。
【００１８】
好ましい実施の一態様としては、一対の可動壁を、互いに相寄る方向へ倒伏するように離間位置に設けて、両可動壁で左右の耳掛け紐をそれぞれマスク収容空間に収まる方向に案内するようにしているものが挙げられる。
【００１９】
また、他の好ましい実施の態様としては、可動壁と、少なくともマスクの一部を収容するポケット部とを、可動壁の倒伏方向とポケット部の開口方向とが向き合う位置関係下に配置しているものが挙げられる。
【００２０】
可動壁の動きによって耳掛け紐を的確に案内するためには、可動壁に、耳掛け紐の折り返し部付近を係り合わせて当該可動壁の動きに耳掛け紐を従動させるための引っ掛け部を設けていることが望ましい。
【００２１】
この場合の案内作用を確実ならしめるためには、引っ掛け部の一部に、耳掛け紐と可動壁との相対的な位置ずれに起因して当該耳掛け紐が引っ掛け部から離脱することを防止する外れ止め部を設けていることが好ましい。
【００２２】
耳掛け紐全体に亘り、簡単・確実にその動きを規制して収容位置へ案内するためには、可動壁は、耳掛け紐のほぼ全域を倒伏方向へ押し付ける押し付け面を有したものであることが望ましい。
【発明の効果】
【００２３】
本発明のマスク保管用ケースは、以上説明した構成であるから、マスク本体に極力手を触れずに簡単な操作で耳掛け紐ともどもマスクをケース内に容易に収容でき、再びマスクを取り出す際にもマスク本体に極力手を触れずに簡単な操作で耳掛け紐を取り出し易くして、使用中のマスクや未使用のマスクを衛生的な状態に保ち、二次感染の恐れも有効に低減可能とした、便利なキャリングケース等としての利用が可能になる。
【図面の簡単な説明】
【００２４】
【図１】本発明の各実施形態に使用されるケース構成体を開放状態で示す斜視図。
【図２】同ケース構成体を半開状態で示す斜視図。
【図３】同ケース構成体を閉止状態で示す斜視図。
【図４】本発明の第１実施形態に係るマスク保管用ケースを模式的に示す図。
【図５】同マスク保管用ケースの作動説明図。
【図６】本発明の第２実施形態に係るマスク保管用ケースを作動とともに模式的に示す図。
【図７】本発明の第３実施形態に係るマスク保管用ケースを作動とともに模式的に示す図。
【図８】本発明の第４実施形態に係るマスク保管用ケースを模式的に示す図。
【図９】本発明の第５実施形態に係るマスク保管用ケースを作動とともに模式的に示す図。
【図１０】本発明の他の実施形態に係るマスク保管用ケースを模式的に示す図。
【図１１】本発明の上記以外の実施形態に係るマスク保管用ケースの一部を模式的に示す図。
【発明を実施するための形態】
【００２５】
以下、本発明の実施形態を、図面を参照して説明する。
＜第１実施形態＞
【００２６】
図１は、本実施形態のマスク保管用ケースを構成するケース構成体Ｃを、後述する可動壁３やポケット部４の取り付け前の状態において、マスクＭとの関係で示している。このケース構成体Ｃは、平面視長方形状をなすもので、ケース本体１と蓋２が開閉可能とされ、閉止時にマスク収容空間ＳにマスクＭを収容するものである。
【００２７】
ケース本体１は、底部１１の四辺に起立壁１２、１３、１４、１５を有した上方に開口する扁平な箱状のもので、一部に二酸化塩素などの薬剤を充填したアンプルＡが取り替え自在に装着され、薬剤が収容空間Ｓ内で気化するように構成される。アンプルＡは、ケース本体１においてマスクＭの収容の邪魔にならない位置であれば、図示想像線のように底部１１と起立壁１４との入隅部に配置される以外に、底部１１を中蓋を用いた二重底構造にして中蓋の下にアンプルを収容する態様等によってもよい。
【００２８】
蓋２は、ケース本体１の一方の長辺側に位置する起立壁１４にヒンジ部２０を介して図１〜図３に示すような開閉動作を行うように接続されたもので、閉止位置で前記ケース本体１との間においてマスク収容空間Ｓを気密に閉止するように、四辺２２、２３、２４、２５と起立壁１２，１３、１４、１５との間の適宜部位に凹凸形状等のシール構造が採用されている。
【００２９】
この実施形態では、ケース本体１及び蓋２がヒンジ部２０とともに樹脂により構成されていて、蓋２の閉止時に当該蓋２に設けた鉤形の爪部２６がケース本体１の対応位置に設けた凹部１６に係り合って蓋２の閉止状態が実現される。ケース本体１には閉止位置にある蓋２の爪部２６にテーパ係合するスライダ１７が設けてあり、このスライダ１７により蓋２をケース本体１側に引き込んで爪部２６と凹部１６との係り合いを深くし、マスク収容空間Ｓの気密性を高めることができるようにしている。
【００３０】
前記マスク収容空間Ｓには、長手方向の中央部にマスクＭの口当て部となるマスク本体ｍ１を位置づけ、両端側に耳掛け紐ｍ２を位置づけて収容され、図１→図２→図３のように蓋２を閉じることによって二つ折りにされる。対象となるマスクＭの耳掛け紐ｍ２は単に伸縮性に乏しい紐が用いられてもよいし、ゴム等のような伸縮性のある素材が用いられていてもよい。或いは、いわゆるサージカルマスク等のように一部にワイヤが入っているもの等であっても構わない。
【００３１】
ただし、以上のままでは、耳掛け紐ｍ２をマスク収容空間Ｓ内に収めようとしたり、マスクＭを取り出そうとした際に、マスク本体ｍ１に手が触れて、二次感染やマスクＭの汚損等につながるおそれがある。
【００３２】
そこで、本実施形態は更に、以上のケース構成体Ｃを模式的に表した図４に示すように、ケース本体１の長手方向両端部に、マスクＭの耳掛け紐ｍ２を収めるための可動壁３とポケット部４とを対をなして設けている。
【００３３】
可動壁３は、ケース本体１の底部１１から立ち上がる図４（ａ）及び図５（ａ）に示す起立位置と当該ケース本体１の底部に倒れ込む図５（ｃ）に示す倒伏位置との間でケース本体１に対する蓋２の開閉方向（Ｚ方向）と直交する方向（Ｙ方向）に起倒して折り畳み展開可能とされたものである。具体的には、扇状をなす壁本体３０の中央に折線３０ｃを設けて壁本体３０を当該折線３０ｃによって両側領域３０ａ、３０ｂに区画するとともに、各々の両側領域３０ａ、３０ｂの基端片３１、３２をケース構成体Ｃの相対動作を行う部位、すなわちケース本体１の底部１１と蓋２の内面２１とにそれぞれ接続している。そして、蓋２の展開時に図５（ｃ）→（ｂ）→（ａ）に示すように両側領域３０ａ、３０ｂが平面に近づく方向に連動して変形しながら起立し、蓋２の閉止時に図５（ａ）→（ｂ）→（ｃ）に示すように両側領域３０ａ、３０ｂが折り畳まれて重合しつつケース本体１の底部１１および蓋２の内面２１に倒伏する方向に連動して変形するように構成してある。
【００３４】
そして、壁本体３０の外周に、耳掛け紐ｍ２の折り返し部付近を係り合わせて可動壁３の動きに耳掛け紐ｍ２を従動させるための引っ掛け部３３を形成している。この引っ掛け部３３は、耳掛け紐ｍ２を通過させるスリット３３ａの内奥に拡開した孔部３３ｂを有するもので、耳掛け紐ｍ２にテンションを加えた状態でスリット３３ａを通過させて孔部３３ｂに対する耳掛け紐ｍ２の出し入れを可能としており、特にスリット３３ａを、耳掛け紐ｍ２が引っ掛け部３３から離脱することを抑止する外れ止め部として機能させている。可動壁３の大きさは、引っ掛けた耳掛け紐ｍ２がさほど大きく弛まない程度に（例えば、耳掛け紐ｍ２の一部がケース構成体Ｃからはみ出す程度に弛まないように）設定されている。
【００３５】
一方、ポケット部４は、折線４０ｃを介して二分された扇形状の倒伏壁４０を有するもので、倒伏壁４０の各々二分された両側領域４０ａ、４０ｂがケース本体１の底部１１及び蓋２の内面２１に向けて倒伏した状態で、基端片４１、４２をケース本体１および蓋２の適宜部位に溶着等により取り付けられている。この実施形態は、ポケット部４は可動壁３ともども、透明樹脂を素材としている。このポケット部４は、ケース本体１の底部１１や蓋２の内面２１との間に所定の間隙が形成されて開口部ＯＰを形成しており、開口部ＯＰの開口方向（Ｘ方向）は可動壁３の倒伏方向（Ｙ方向）に向き合うように設定され、その開口部ＯＰを介してマスクＭの一部を収容可能としている。このポケット部４を構成する倒伏壁４０は、蓋２の開閉動作に伴い折線４０ｃに沿って図５（ａ）→（ｂ）→（ｃ）に示すように両側領域４０ａ、４０ｂが二つ折されるが、それらの両側領域４０ａ、４０ｂは常にケース本体１の底部１１や蓋２の内面に対して倒伏した状態を保ち、前記可動壁３のような起倒動作は殆ど行わないものである。
【００３６】
次に、このように構成される本実施形態に係るマスク保管用ケースの一使用方法について説明する。マスク保管時には、図４（ａ）に示すように蓋２を開いて同図（ｂ）に示すごとくポケット部４の開口部ＯＰが上を向いた状態に開口するように一時的にケース構成体Ｃを傾けてマスクＭの一方の耳掛け部ｍ２を垂れ下げた状態で落とし込み、次に図５（ａ）に示すように他方の耳掛け部ｍ２の折り返し部分を可動壁３の引っ掛け部３３に引っ掛けて、その後に同図（ｂ）→（ｃ）に示すように蓋２を閉める動作を行えば、蓋２の動作に連動して可動壁３が耳掛け紐ｍ２をマスク収容空間Ｓ側へ案内しながらケース本体１の底部１１や蓋２の内面２１に向かって倒れ込む結果、蓋２を閉めた状態で可動壁３が折り畳まれ、耳掛け紐ｍ２は収容空間Ｓに周辺からはみ出すことなく収められる。このときマスク本体ｍ１も短手方向に略半分に折り畳まれた状態となる。可動壁３のポケット部４側の面は、耳掛け紐ｍ２やマスク本体ｍ１を倒伏方向へ押し付ける押し付け面としても働く。マスク使用時には、図５（ｃ）→（ｂ）→（ａ）に示すように蓋２を開ける動作を行うことにより、連動して可動壁３が起立方向に展開しながら一方の耳掛け紐ｍ２をケース本体１の底部１１から上方かつ外側方に持ち出すので、当該耳掛け紐ｍ２を引っ掛け部３３から外して引っ張れば、他方の耳掛け紐ｍ２がポケット部４から引き出されて、マスクＭが使用可能な状態となる。
【００３７】
ポケット部４を構成する倒伏壁４０が軟質樹脂で構成されている場合には、指で押さえることによってケース本体１の底部１１との間にマスクＭの耳掛け紐ｍ２やマスク本体ｍ１の一部を挟み込んだ状態にすることができ、例えば図５（ａ）に示す引っ掛け部３３への耳掛け紐ｍ２の着脱操作を行う上で便利である。
【００３８】
以上のように、本実施形態のマスク保管用ケースは、ケース構成体Ｃの一部が開閉可能とされ、閉止時にマスク収容空間ＳにマスクＭを収容するように構成するにあたり、前記ケース構成体Ｃに、倒伏位置と起立位置の間で折り畳み展開可能な可動壁３を設け、起立位置から倒伏位置に向かう可動壁３でマスクＭの耳掛け紐ｍ２の動きを規制しつつ当該耳掛け紐ｍ２を、マスク収容空間Ｓに収まる方向に案内するようにしているので、ケース構成体Ｃを閉止する際に耳掛け紐ｍ２がケース構成体Ｃの周辺から飛び出して閉めにくくなったり耳掛け紐ｍ２が飛び出したまま中途半端にケース構成体Ｃが閉まった状態となることを、マスク本体ｍ１に直接手を触れずとも可動壁３によって効果的に防止することができ、マスク本体ｍ１から手を媒介にした二次感染や、手からマスク本体ｍ１に与える汚損等を有効に防止することができる。
【００３９】
また、倒伏位置から起立位置に向けて可動壁３が展開されるに伴い、マスクＭの耳掛け紐ｍ２に対する規制を解除若しくは緩和するので、マスク本体ｍ１に直接手を触れずとも耳掛け紐ｍ２を取り出し易い状態にすることができ、この点でもマスク本体ｍ１から手を媒介にした二次感染や、手からマスク本体ｍ１に与える汚損等を有効に防止することができる。
【００４０】
また、可動壁３の一部をケース構成体Ｃのうち相対動作を行う部位であるケース本体１と蓋２に接続して、ケース構成体Ｃの閉止動作と開放動作に可動壁３の折り畳み動作と展開動作を連動させており、ケース構成体Ｃを開閉するだけで可動壁３が可動し、耳掛け紐ｍ２に対する規制と規制解除が行われるので、ケース構成体Ｃの開閉操作と可動壁３の起倒操作とを別個に行う場合に比べて、操作の適切な同期が図れ、操作の一連性も確保することができる。
【００４１】
さらに、ケース構成体Ｃの閉止動作に伴ってマスクＭが小さく折り畳まれ、開放動作に伴ってマスクＭへの折り畳み力が解除ないし緩和されるように構成しているので、ケースの小型化が図れるとともに、ケースを開放したときにマスクＭの取り出し易い状態を実現することができる。
【００４２】
より具体的にこのマスク保管用ケースは、可動壁３と、少なくともマスクＭの一部（例えば、耳掛け紐ｍ２）を収容するポケット部４とを、可動壁３の倒伏方向とポケット部４の開口方向とが向き合う位置関係下に配置しており、他方の耳掛け紐ｍ２に対しては可動壁３を作用させ、一方の耳掛け紐ｍ２等は単にポケット部４に落とし込んだり抜き取ったりするだけでよいので、取り扱いを極めて簡素化することができる。
【００４３】
また、可動壁３に、耳掛け紐ｍ２の折り返し部付近を係り合わせて当該可動壁３の動きに耳掛け紐ｍ２を従動させるための引っ掛け部３３を設けているので、耳掛け紐ｍ２を引っ掛け部３３に引っ掛けるだけで、耳掛け紐ｍ２にマスク収納空間Ｓ内に収まる状態とマスク収納空間Ｓから取り出し易い状態とを実現することができる。
【００４４】
この場合、可動壁３を折り畳むまでの間に耳掛け紐ｍ２があばれ易く、例えば単に孔３３ｂを設けただけの構造では耳掛け紐ｍ２が引っ掛け部３３から外れる可能性があるが、本実施形態では、引っ掛け部３３の一部に孔３３ｂに通じるスリット３３ａを設けて、耳掛け紐ｍ２と可動壁３との相対的な位置ずれに起因して当該耳掛け紐ｍ２が引っ掛け部３３から離脱することを防止する外れ止め部としているので、引っ掛け部３３による案内作用をより確実なものにすることができる。
【００４５】
さらにまた、可動壁３のポケット部４側の面を、耳掛け紐ｍ２のほぼ全域を倒伏方向へ押し付ける本発明の押し付け面として機能させているので、耳掛け紐ｍ２の全体に亘り、簡単・確実にその動きを規制してマスク収容空間Ｓ側へ案内したりその規制を解除する作用を奏することができる。
【００４６】
以上に加え、本実施形態は、薬剤を充填したアンプルＡが取り替え自在に装着されており、ケース構成体Ｃを構成するケース本体１と蓋２との気密構造によってガスバリヤーを形成するようにしているので、マスク本体ｍ１のみならず耳掛け紐ｍ２に対しても浄化作用、除菌作用を得ることができ、外しているうちにウィルスが活性化して増殖したり、感染防止のマスクのはずが逆にウィルスキャリアになったり、ウィルスが外部に漏れるといった不都合等々を有効に回避することができるものとなる。特に、可動壁３やポケット部４によって、ケース構成体Ｃを閉止する際に耳掛け紐ｍ２がケース構成体Ｃから飛び出して閉めにくくなったり耳掛け紐ｍ２が飛び出したまま中途半端にケース構成体Ｃが閉まった状態となることが回避されているので、確実な密閉状態が得られ、マスク収容空間Ｓを適切な薬剤雰囲気に保つことができる。
【００４７】
なお、平面状に展開することが難しい立体マスク等の場合には、マスク本体ｍ１を二つ折りにしてポケット部４に収納しておく利用の形態も可能であり、このような場合には可動壁３を耳掛け紐ｍ２に対する押さえとして用いることも可能となる。
＜第２実施形態＞
【００４８】
図６（ａ）に示す本実施形態のマスク保管用ケースは、ケース構成体Ｃの長手方向両端部に可動壁１０３を、対をなして設けたものである。
【００４９】
この可動壁１０３は前記実施形態と同様の折線１３０ｃによって可動壁本体１３０を両側領域１３０ａ、１３０ｂに区分しているもので、可動壁本体１３０の形態は、前記実施形態における扇状の可動壁本体３０の左右２箇所を折線１３０ｃに平行な線に沿って切除した形状をなし、前記実施形態よりも起立位置における高さ寸法の出し易いものである。そして、ケース構成体Ｃのうち相対移動するケース本体１の底部１１と蓋２の内面２１とに両側領域１３０ａ、１３０ｂの基端片１３１、１３２を固定し、図６（ａ）〜（ｃ）に示すように蓋２の開閉動作に可動壁１０３の折り畳み動作と展開動作を連動させて、ケース本体１に対する蓋２の開閉方向と直交する方向に起倒して起立位置と倒伏位置との間で姿勢変更可能な点は上記実施形態と同様であり、本実施形態はこのような可動壁１０３を一対に設けて、互いに相寄る方向に倒伏させるようにしている。可動壁本体１３０の上縁には前記実施形態の引っ掛け部３３と同様の引っ掛け部１３３が設けてある。
【００５０】
可動壁１３０の高さは、離間距離との関係で、図６（ｃ）に示すように倒伏しても互いに重合せず、かつ耳掛け紐ｍ２とともにマスク本体ｍ１の左右の一部領域を抑え得る寸法関係に設定されている。
【００５１】
このマスク保管用ケースのマスク保管時には、図６（ａ）に示すように蓋２を開いて左右の耳掛け部ｍ２の折り返し部分を可動壁１０３の引っ掛け部１３３に引っ掛けて、同図（ｂ）→（ｃ）に示すように蓋２を閉める動作を行えば、蓋２の動作に連動して可動壁３が耳掛け紐ｍ２をマスク収容空間Ｓ側へ案内しながらケース本体１の底部１１や蓋２の内面２１に向かって倒れ込み、蓋２を閉めた状態で可動壁３が折り畳まれる結果、耳掛け紐ｍ２は収容空間Ｓに、ケース構成体Ｃの周辺からはみ出すことなく収められる。マスク使用時には、図６（ｃ）→（ｂ）→（ａ）に示すように蓋２を開ける動作を行うことにより、連動して可動壁３が起立方向に展開しながら左右の耳掛け紐ｍ２をケース本体１の底部１１から上方かつ外側方に持ち出すので、それらの耳掛け紐ｍ２を引っ掛け部１３３から外せば、マスクＭが使用可能な状態となる。特に、左右の耳掛け紐ｍ２がゴンドラ状に持ち上げられて取り出し易い状態になる上に、左右何れの耳掛け紐ｍ２を摘んで取り出すこともでき、両方の耳掛け紐ｍ２、ｍ２を摘んで取り出すことも可能となる。
【００５２】
このような構成によると、左右の可動壁１０３に対して耳掛け紐ｍ２の係脱操作を行うことが必要になるが、一対の可動壁１０３、１０３を採用することによって、左右の耳掛け紐ｍ２に対する確実な規制と確実な開放とを簡単に行うことができ、相寄る方向へ倒伏させることでマスク本体ｍ１に対する押さえの効果もより一層高めることができるとともに、一対の可動壁１０３、１０３を起立させることによって、左右何れの耳掛け紐ｍ２を係脱操作することもできて操作性が向上することとなる。
＜第３実施形態＞
【００５３】
図７に示す本実施形態のマスク保管用ケースは、一対の可動壁２０３を有する点で上記第２実施形態と同様である。すなわち、この可動壁２０３も、可動壁本体２３０の中央に折線２３０ｃを設けその折線２３０ｃの両側領域２３０ａ、２３０ｂが折り畳み可能であるとともに、可動壁本体部２３０の下端側が二股に分岐し、その分岐部分の基端２３１、２３２がケース構成体Ｃを構成するケース本体１の底部１１と蓋２の内面２１とにそれぞれ固定されており、蓋２が開いて可動壁２０３の基端片２３１、２３２同士が離れる方向に移動するに伴って、折り畳まれていた両側領域２３０ａ、２３０ｂが図７（ｂ）→（ａ）に示すように平面状に展開されながら可動壁本体１３０が立ち上がり、逆の操作によって図７（ａ）→（ｂ）に示すように可動壁本体１３０が折り畳まれて倒伏するものである。
【００５４】
ただし、この可動壁２０３は上記第２実施形態の可動壁１０３とは具体的形態が若干相違している。具体的にこの可動壁２０３は、立ち上がった可動壁本体１３０の上部に中央の山を形成する斜辺２３０ｄとその外側斜辺２３０ｅ１、２３０ｅ２との間に耳掛け紐を引っ掛けるための谷状の引っ掛け部２３３ａ、２３３ｂを形成しているものであり、その際に一方の外側斜辺２３０ｅ１を他方の外側斜辺２３０ｅ２よりもより高く起立させて、一方の引っ掛け部２３３ａの谷を他方の引っ掛け部２３３ｂの谷よりも深くし、その外側斜辺２３０ｅ２を、耳掛け紐ｍ２と可動壁２０３との位置ずれに起因して当該耳掛け紐ｍ２が引っ掛け部２３３ａから離脱することを抑止する外れ止め部として機能させている。
【００５５】
すなわち、図７（ａ）に示すようにケース本体１と蓋２に亘ってマスク本体ｍ１を載置し、左右の引っ掛け部２３３ａ、２３３ｂに耳掛け紐ｍ２を引っ掛けて、同図（ａ）→（ｂ）に示すように蓋２を閉じる過程において、図７（ｂ）に矢印で示すようにマスク本体ｍ１が矢印ｆ１に示すように蓋２に押されて二つ折りになる過程で、マスクＭ全体が矢印ｆ２に示すようにケース本体１内を一方の長辺から他方の長辺側に位置ずれし易く、このとき耳掛け紐ｍ２の外側斜辺２３０ｅ１が同図（ｃ）に示すように短いと、当該外側斜辺２３０ｅ１を滑って耳掛け紐ｍ２が離脱し易くなる。これに対して、上記のように外側斜辺２３０ｅ１を高くして隣接する斜辺１３０ｄとの間の谷を深くして外れ止め部としておくこと、図７（ｂ）に矢印ｆ２で示すようにマスクＭがケース本体１内で位置ずれしても、かかる耳掛け紐ｍ２の離脱動作を有効に防止することができる。この実施形態においても、可動壁１０３の高さは倒伏しても互いに重合しない寸法に設定されている。耳掛け紐ｍ２に対する案内作用等に鑑みれば、引っ掛け部２３３ａ、２３３ｂの高さｈ１（図７（ｄ）参照）は、耳掛け紐ｍ２を弛みなく上に延ばした際の総高さｈ２の２／３以上の位置に設定しておくことが適切である。これは図６の可動壁１０３における引っ掛け部１３３の位置についても同様である。
【００５６】
このような可動壁２０３を用いても、図６に示した第２実施形態と同様の作用効果を奏することができる。
＜第４実施形態＞
【００５７】
図８に示すものは、上記の可動壁２０３を片側のみに用い、対面位置に第１実施形態のポケット部４を配置した実施形態であり、第１実施形態と同様の作用効果を奏することができる。
＜第５実施形態＞
【００５８】
図９（ａ）に示す本実施形態のマスク保管用ケースは、ケース構成体Ｃを構成する一対のケース本体１０１、１０１が開閉可能とされ、閉止時に一対のケース本体１０１、１０１の間でマスク収容空間Ｓを閉止する点、マスクＭが二つ折りにされて収容される点、一対の可動壁３０３が起立位置と倒伏位置との間で折り畳み展開可能である点、可動壁３０３に鋸歯状の引っ掛け部３３３ａ、３３３ｂが設けてある点など、概略構成は図６に示した第２実施形態等と同様であるが、次の点が異なっている。
【００５９】
先ず、上記第２実施形態では可動壁１０３、１０３の起倒方向がケース本体１に対する蓋２の開閉方向と直交する方向に設定されていたが、この実施形態では可動壁３０３の起倒方向（Ｔ１方向）が一対のケース本体１０１、１０１の開閉方向（Ｔ２方向）と同一方向に設定されている点、これに伴ってマスク本体ｍ１に対する折り畳み方向が短手方向ではなく長手方向となる点、そして、上記各実施形態では可動壁１０３の起倒動作がケース本体１に対する蓋２の開閉動作に連動していたが本実施形態では可動壁３０３の起倒動作がケース本体１０１の開閉動作とは独立している点である。
【００６０】
すなわち、この実施形態の可動壁３０３は、基端３３１をケース本体１０１の底部１１１に、互いに相寄る方向に倒伏可能な状態で固定したものであり、一対の可動壁３０３、３０３の対向する側の面３０３ｘ、３０３ｘは、耳掛け紐ｍ２のほぼ全域を倒伏方向へ押し付けるための押し付け面として設定されている。この可動壁３０３には、外力を加えなければ自然に起立するような弾性を付与しておいてもよい。
【００６１】
何れにせよ、可動壁３０３の起倒方向（Ｔ１）がケース本体１０１の開閉方向（Ｔ２）と同一方向であるため、図９（ａ）実線→図９（ａ）想像線（図９（ｂ）実線）→図９（ｂ）想像線のように可動壁３０３を倒伏させる動作とケース本体１０１を閉じる動作とを一連の操作によって行うことができ、また、展開するときには、可動壁３０３に起立方向の弾性が付与されているときはケース本体１０１を開いて押えている指を外すだけで図９（ｂ）想像線→図９（ｂ）実線（図９（ａ）想像線）→図９（ａ）実線のように可動壁３０３が起立することになる。可動壁３０３に起立方向の弾性が付与されていない場合にも、同図（ｃ）に示すように一方のケース本体１０１の一端側を掴んで全体を軽く振れば、他方のケース本体１０１に付随する可動壁３０３を起立させることは容易であり、何れにしてもケース構成体Ｃの開閉操作および可動壁３０３の起倒操作を極めてスムーズに行うことができる。さらに、可動壁３０３はケース構成体Ｃに連動していないため、取付構造が簡素になるだけでなく、ケース構成体Ｃの開閉方向に対して可動壁３０３の起倒方向の制約を受けないため、例えば次の第６実施形態で述べるような変形実施が可能になるなど、設計自由度も向上することになる。
【００６２】
なお、この実施形態では、耳掛け紐ｍ２が外れる方向にマスクＭが相対的に位置ずれすることが少ないことに鑑み、引っ掛け部３３３ａ、３３３ｂは同一形状となっている。
＜他の実施形態＞
【００６３】
図１０（ａ）に示す本実施形態のマスク保管用ケースは、マスクＭが二つ折りに収容されるのではなく、ケース構成体Ｃを構成するケース本体２０１及び蓋２０２のうちのケース本体２０１側に全てマスクＭが展開状態で収まる点で上記何れの実施形態とも異なっている。可動壁４０３はケース本体２０１側に対をなして設けられ、ケース本体２０１に対する蓋２０２の開閉方向と直交する方向に起倒動作を行う点は図５等に示した第１実施形態や図６に示した第２実施形態と同様であるり、当該可動壁４０３が蓋２０２と独立して起倒動作を行う点は図９に示した第５実施形態と同様である。そして、左右の可動壁４０３、４０３にマスクＭの耳掛け紐ｍ２を係り合わせた状態で可動壁４０３を倒伏させる操作と蓋２０２を閉める操作を行えばマスクＭをマスク収容空間Ｓに保管することができ、逆の操作を行えばマスクＭを取り出すことができる。
【００６４】
図１０（ｂ）に示すものは、ケース本体２０１側に上記と同様の可動壁４０３および図５等に示した第１実施形態のポケット部４に準じたポケット部４０４を対をなして設けたものであり、第１実施形態と異なるのは、可動壁４０３が蓋の動きと独立しており、マスクが折り畳まれずに収容される点である。
【００６５】
これらの構成によっても、得られる基本的作用効果は上記各実施形態と同様である。
＜上記以外の実施形態＞
【００６６】
図１１（ａ）に示す可動壁５０３は、基本的には図５や図６と同様にケース本体１と蓋２とに跨って取り付けられて、蓋２の開閉に伴って起倒動作を行うものであり、可動壁本体５３０のうち折線５３０ｃの両側領域５３０ａ、５３０ｂが倒伏動作に伴ってケース本体１の底部１１及び蓋２の内面２１に近づく方向に折り畳まれる点、可動壁本体５３０の上方に引っ掛け部５３３を有している点等も同様である。
【００６７】
ただし、図５や図６の引っ掛け部１３３が耳掛け紐ｍ２の比較的中間部を引っ掛けるようにしているのに対して、この可動壁５０３は、一対の引っ掛け部５３３、５３３に対し、図１１（ｂ）に示すように耳掛け紐ｍ２の先端側を最も伸びた状態（若しくはそれに近い状態）で引っ掛けるようにしている点で異なるものであり、耳掛け紐ｍ２の中間部が弛まない状態で確実にケースＣに収納できるようにしている。
【００６８】
また、折線５３０ｃの下方に可動壁本体５３０を二股に分岐させる切欠部５３０ｚを設けている点も図６等と同様であるが、特にこの実施形態における折線５３０ｃの下端部はその切欠部５３０ｚを横から見た図１１（ｃ）に示されるように顎のような出っ張り部ｚｚとなっていて、この出っ張り部ｚｚが、ケースＣを閉じる際に可動壁５０３の倒伏動作に伴ってマスク本体ｍ１を上から押さえ付ける役割をなし、マスク本体ｍ１をバタつかせることなく蓋２を閉じることを可能にしている。このような効果は、図５や図６等の構成においても同様に得ることができる。
【００６９】
なお、図１１（ａ）等に示すように、引っ掛け部５３３は、狭窄部５３３ｙを経て外れ止め部として働く孔状に拡開した落とし込み部５３３ｚに通じている点で、図４等における引っ掛け部３３のスリット３３ａと孔３３ｂの関係と同様であるが、特に本実施形態では漸次入口の幅が狭くなる入口５３３ｘを有し、その入口５３３ｘの奥に位置する前記狭窄部５３３ｙを経て落とし込み部５３３ｚに通じており、同図（ｂ）に矢印で示すように耳掛け紐ｍ２を上方から近づけた場合、入口５３３ｘに沿って耳掛け紐ｍ２がガイドされ、入口５３３ｘの奥の狭窄部５３３ｙを超えれば耳掛け紐ｍ２が自然に落とし込み部５３３ｚに落ちて安定保持されるので、より簡単な操作で耳掛け紐ｍ２が適切な状態で収容されることを可能にしているものである。
【００７０】
以上、本発明の幾つかの実施形態について説明したが、可動壁やポケット部の形態、ケース構成体の構造等を始め、各部の具体的な構成は上述した各実施形態のみに限定されるものではなく、本発明の趣旨を逸脱しない範囲で種々変形が可能である。
【符号の説明】
【００７１】
１、１０１…ケース本体
２、１０２…蓋
３、１０３、２０３、３０３、４０３、５０３…可動壁
４、４０４…ポケット部
３３、１３３、２３３ａ、２３３ｂ、３３３ａ、３３３ｂ、５３３…引っ掛け部
３３ａ…外れ止め部（スリット）
２３０ｅ１…外れ止め部（外側斜辺）
５３３ｚ…外れ止め部（落とし込み部）
Ｃ…ケース構成体
Ｍ…マスク
ｍ１…マスク本体
ｍ２…耳掛け紐
Ｓ…マスク収容空間
【図１】
0005724058.tif 000002
【図２】
0005724058.tif 000003
【図３】
0005724058.tif 000004
【図４】
0005724058.tif 000005
【図５】
0005724058.tif 000006
【図６】
0005724058.tif 000007
【図７】
0005724058.tif 000008
【図８】
0005724058.tif 000009
【図９】
0005724058.tif 000010
【図１０】
0005724058.tif 000011
【図１１】
0005724058.tif 000012